(57)【特許請求の範囲】
【請求項１】
上下方向に複数のプリーツが設けられたスクリーンの上端をヘッドボックスに固定し、スクリーンの下端にボトムレールを固定し、ヘッドボックスから昇降可能に垂下された昇降コードをボトムレールに連結して、昇降コードが昇降することによって前記スクリーンが畳み上げられるようにしたプリーツスクリーンにおいて、
前記スクリーンには、上下方向に均一でないピッチで前記複数のプリーツが形成されており、スクリーンに重力が下方向に負荷されていない自然状態において、ランダムなピッチとなるように前記複数のプリーツの丈が選択されて形成され、昇降コードが挿通する各プリーツの挿通孔の位置は、昇降コードが一番小さいプリーツの丈方向の中心を通る位置に選択されることを特徴とするプリーツスクリーン。
【請求項２】
上下方向に複数のプリーツが設けられたスクリーンの上端をヘッドボックスに固定し、スクリーンの下端にボトムレールを固定し、ヘッドボックスから昇降可能に垂下された昇降コードをボトムレールに連結して、昇降コードが昇降することによって前記スクリーンが畳み上げられるようにしたプリーツスクリーンにおいて、
前記スクリーンには、上下方向に均一でないピッチで前記複数のプリーツが形成されており、スクリーンに重力が下方向に負荷されていない自然状態において、ランダムなピッチとなるように前記複数のプリーツの丈が選択されて形成され、昇降コードが挿通する各プリーツの挿通孔の位置は、昇降コードが側面から見たスクリーン形状の重心を通る位置に選択されることを特徴とするプリーツスクリーン。
【請求項３】
前記スクリーンには、上下方向にランダムなピッチで前記複数のプリーツが形成されていることを特徴とする請求項１または２記載のプリーツスクリーン。
【請求項４】
前記スクリーンには、一定周期で繰り返される上下方向にランダムなピッチパターンに基づくピッチで前記複数のプリーツが形成されていることを特徴とする請求項１または２記載のプリーツスクリーン。
【請求項５】
前記スクリーンには、上下方向に規則的に変化するピッチで前記複数のプリーツが形成されていることを特徴とする請求項１または２記載のプリーツスクリーン。
【請求項６】
前記複数のプリーツの前後方向の突出端の前側または後側のいずれか一方の側の突出端は、すべてのプリーツで鉛直方向に揃っており、前記昇降コードは、この鉛直方向に揃えられた突出端から一定の間隔を隔てた位置においてスクリーンを挿通していることを特徴とする請求項１ないし５のいずれか１項に記載のプリーツスクリーン。
【発明の詳細な説明】
【０００１】
【発明の属する技術分野】
本発明は、複数のプリーツが設けられたスクリーンを備えたプリーツスクリーンに関する。
【０００２】
【従来の技術】
従来、この種のプリーツスクリーンは、上下方向に均一な間隔でプリーツが形成されたスクリーンを備えていることが常識であり、スクリーンが降ろされたときに、上下方向に規則正しくプリーツが揃うことが意図されている。
【０００３】
【発明が解決しようとする課題】
しかしながら、この従来のプリーツスクリーンでは、スクリーンが降ろされたときに、スクリーンの下端に固定されたボトムレール及びスクリーン自身の自重でスクリーンの上部側が下部側よりも伸び、プリーツの間隔が不揃いになるという問題がある。
【０００４】
そのため、プリーツのピッチを一定間隔に保つため、ヘッドボックスから垂下される間隔保持テープ等を設け、この間隔保持テープを各プリーツ毎に連結することにより、プリーツの間隔を均一にしている。
本願発明は、かかる従来のプリーツスクリーンと逆転の発想に基づき、均一なプリーツを形成せずに、斬新なプリーツスクリーンを提供することを目的とする。
【０００５】
【課題を解決するための手段】
上記目的を達成するために本発明のうち請求項１記載の発明は、上下方向に複数のプリーツが設けられたスクリーンの上端をヘッドボックスに固定し、スクリーンの下端にボトムレールを固定し、ヘッドボックスから昇降可能に垂下された昇降コードをボトムレールに連結して、昇降コードが昇降することによって前記スクリーンが畳み上げられるようにしたプリーツスクリーンにおいて、
前記スクリーンには、上下方向に均一でないピッチで前記複数のプリーツが形成されており、スクリーンに重力が下方向に負荷されていない自然状態において、ランダムなピッチとなるように前記複数のプリーツの丈が選択されて形成され、昇降コードが挿通する各プリーツの挿通孔の位置は、昇降コードが一番小さいプリーツの丈方向の中心を通る位置に選択されることを特徴とする。
また、請求項２記載の発明は、上下方向に複数のプリーツが設けられたスクリーンの上端をヘッドボックスに固定し、スクリーンの下端にボトムレールを固定し、ヘッドボックスから昇降可能に垂下された昇降コードをボトムレールに連結して、昇降コードが昇降することによって前記スクリーンが畳み上げられるようにしたプリーツスクリーンにおいて、
前記スクリーンには、上下方向に均一でないピッチで前記複数のプリーツが形成されており、スクリーンに重力が下方向に負荷されていない自然状態において、ランダムなピッチとなるように前記複数のプリーツの丈が選択されて形成され、昇降コードが挿通する各プリーツの挿通孔の位置は、昇降コードが側面から見たスクリーン形状の重心を通る位置に選択されることを特徴とする。
【０００６】
上下方向に均一でないピッチ、換言すれば、すべてのプリーツが同じピッチを有する従来のプリーツスクリーンとは異なる構成とすることにより、プリーツの前後方向（または前側、後側のいずれか一方）の突出量が上下方向で変化し、従来のプリーツスクリーンの規制概念を脱したものとなる。この上下方向に均一でないピッチで複数のプリーツを形成する例としては、請求項３記載の発明のように、ランダムなピッチとするものや、請求項４記載の発明のように、一定周期で繰り返される上下方向にランダムなピッチパターンに基づくピッチで前記複数のプリーツを形成するものや、請求項５記載の発明のように、上下方向に規則的に変化するピッチとするものがある。
【０００７】
さらに、請求項６記載の発明は、請求項１〜５記載のいずれかのものにおいて、前記複数のプリーツの前後方向の突出端の前側または後側のいずれか一方の側の突出端は、すべてのプリーツで鉛直方向に揃っており、前記昇降コードは、この鉛直方向に揃えられた突出端から一定の間隔を隔てた位置においてスクリーンを挿通していることを特徴とする。
【０００８】
【発明の実施の形態】
以下、図面を用いて本発明の実施の形態を説明する。図１は本発明のプリーツスクリーンの実施の形態を表す全体斜視図であり、図２は図１の側面図である。
図において、１０はヘッドボックスであり、ヘッドボックス１０にスクリーン１２の上端が固定され、スクリーン１２の下端がボトムレール１４に固定されている。
【０００９】
スクリーン１２には複数のプリーツが形成されており、スクリーン１２は、重力が下方向に負荷されていない自然状態において、ランダムなピッチとなるように複数のプリーツ１２ａ、１２ａ、・・・の丈が選択されて形成されている。
本形態では、すべてのプリーツ１２ａの後側の突出端１２ｂ、１２ｂ、・・・が鉛直方向に揃っており、この鉛直方向に揃えられた突出端１２ｂ、１２ｂ、・・・から一定の間隔ｄを隔てた位置には挿通孔１２ｃがそれぞれ穿設されている。そして、各挿通孔１２ｃを、幅方向に間隔を隔ててヘッドボックス１０から昇降可能に垂下された２本の昇降コード１６が挿通しており、昇降コード１６の一端はボトムレール１４に連結されている。また、各昇降コード１６の他端は、ヘッドボックス１０内に導入されヘッドボックス１０内を長手方向に誘導されて、ヘッドボックス１０内に設けられた図示しないストッパを介してヘッドボックス１０から導出されて操作部１８に連結されている。
【００１０】
以上のように構成されたプリーツスクリーンは図１に示したように、プリーツのピッチが規則的でなく、不規則となる。また、プリーツの前側の突出量が上下方向で変化するため、スクリーン表面の陰影などに変化が出て、意匠的に斬新なものとすることができる。
本形態では、敢えて不規則なピッチとしているために、間隔保持テープを設けて、プリーツ間隔を一定にする必要がなく、ボトムレール１４及びスクリーン１２自身の自重によってスクリーンの一部が伸びても、そのままにしておくことができるため、間隔保持テープを省略することができる。
【００１１】
また、操作部１８を操作して、昇降コード１６の前記一端を上昇させると、ボトムレール１４がスクリーン１２のプリーツ１２ａを下から畳み上げていくので、ボトムレール１４が所望の高さまで上昇したところでストッパを締結させて昇降コード１６を保持させると、プリーツスクリーンが設けられた開口を開放した状態を保持することができる。
【００１２】
ランダムなピッチの例としては、図１及び図２の例のように複数種類（例えば４種類）のプリーツの丈をランダムに選択することにより、順次プリーツの幅を決定するようにすることも良いし、また、上限値と下限値の範囲の中でランダムな値をプリーツの丈とするように、順次プリーツの丈を決めるようにすることもできる。そして、１枚の生布に対して、決められたプリーツの丈に従ってプリーツの折り目を施していくことにより、ランダムなピッチのプリーツを有するスクリーンを製造することができる。または他の方法として、図７に示したように、様々なプリーツ丈を有する複数の個別のプリーツ要素１２ａ−１、１２ａ−２の上下端部を順次接合していくことにより、１枚のスクリーンを製造することとしてもよい。
【００１３】
プリーツの折り目を付けた後、プリーツを折り畳んだ状態で、突出端１２ｂ、１２ｂ、・・・を揃えて、そこから一定間隔ｄを隔てた位置に孔を開けることにより、各プリーツの丈が均一でなくとも、昇降コード１６のための挿通孔１２ｃの加工作業が容易に行え、昇降コード１６を挿通することができる。また、挿通孔１２ｃの位置は、図示したように昇降コード１６がスクリーン１２の一番小さいプリーツの丈方向の中心を通るように選択されると良い。またはできるだけ昇降コード１６が側面から見たスクリーン１２形状の重心を通るように選択されると、プリーツ１２ａを折り畳んだときに前側または後側に下がることを防止することができるので、望ましい。
【００１４】
次に、図３は、第２の実施の形態を表すプリーツスクリーンであり、第１の実施の形態と異なるプリーツを有するプリーツスクリーンの例を示している。
この形態のスクリーン２２は、重力が下方向に負荷されていない自然状態において、一定周期Ｐで繰り返される上下方向にランダムなピッチパターンに基づくピッチでプリーツ２２ａ、２２ａ、・・・が形成されている点で第１の実施の形態と異なっている。それ以外の点は、すべてのプリーツ２２ａの後側の突出端２２ｂ、２２ｂ、・・・は鉛直方向に揃っており、この鉛直方向に揃えられた突出端２２ｂ、２２ｂ、・・・から一定の間隔ｄを隔てた位置において、ヘッドボックス１０から昇降可能に垂下された昇降コード１６が、スクリーン２２の挿通孔２２ｃを挿通している点を含み第１の実施の形態と同じである。
【００１５】
このような不規則性と規則性を組み合わせることによっても、第１の実施の形態と同様に、プリーツの前側の突出量が上下方向で変化するため、スクリーン表面の陰影などに変化が出て、意匠的に斬新なものとすることができる。
また、間隔保持テープは、周期Ｐ毎の間隔を一定に保持するよう周期Ｐ毎に順次プリーツに結合するように設けてもよいが、ボトムレール１４及びスクリーン２２自身の自重に任せて、下方の周期が上方の周期より長くなってもかまわない。
【００１６】
次に、図４は、第３の実施の形態を表すプリーツスクリーンであり、第１及び第２の実施の形態と異なるプリーツを有するプリーツスクリーンの例を示している。
この形態のスクリーン３２は、重力が下方向に負荷されていない自然状態において、一定周期Ｐで繰り返される波形状の規則的に変化するピッチでプリーツ３２ａ、３２ａ、・・・が形成されている点で上記実施の形態と異なっている。それ以外の点は、すべてのプリーツ３２ａの後側の突出端３２ｂ、３２ｂ、・・・は鉛直方向に揃っており、この鉛直方向に揃えられた突出端３２ｂ、３２ｂ、・・・から一定の間隔ｄを隔てた位置において、ヘッドボックス１０から昇降可能に垂下された昇降コード１６が、スクリーン３２の挿通孔３２ｃを挿通している点を含み第１の実施の形態と同じである。
【００１７】
このような規則的に変化するピッチで複数のプリーツを形成する事としても、第１及び第２の実施の形態と同様に、プリーツの前側の突出量が上下方向で変化するため、スクリーン表面の陰影などに変化が出て、意匠的に斬新なものとすることができる。
また、間隔保持テープは、波形の周期毎の間隔を一定に保持するよう設けてもよいが、ボトムレール１４及びスクリーン３２自身の自重に任せて、下方の周期が上方の周期より長くなってもかまわない。
【００１８】
次に、図５は、第４の実施の形態を表すプリーツスクリーンであり、第１の実施の形態と異なるスクリーンを有するプリーツスクリーンの例を示している。
この形態のスクリーン４２は、複数のプリーツ４２ａがランダムに形成されていると共に、各プリーツ４２ａの後端に水平方向に突出する水平部４２ｄを有しており、すべてのプリーツ４２ａの水平部４２ｄの後側の突出端４２ｂ、４２ｂ、・・・が鉛直方向に揃っており、この鉛直方向に揃えられた突出端４２ｂ、４２ｂ、・・・から一定の間隔ｄ’を隔てた位置でかつ水平部４２ｄ内に挿通孔４２ｃが穿設されており、ヘッドボックス１０から昇降可能に垂下された昇降コード１６が、各挿通孔４２ｃを挿通している。
【００１９】
この形態でも、第１の実施の形態と同様に、プリーツの前側の突出量が上下方向で変化するため、スクリーン表面の陰影などに変化が出て、意匠的に斬新なものとすることができると共に、昇降コード１６がスクリーン４２の正面に露出することがないので、見栄えを向上させることができる。また、挿通孔４２ｃによって光漏れを生じることもない。
【００２０】
次に、図６は、第５の実施の形態を表すプリーツスクリーンであり、第１の実施の形態と同様にスクリーンを有するプリーツスクリーンの例を示している。
この形態のスクリーン５２は、複数のプリーツ５２ａがランダムに形成されていると共に、各プリーツ５２ａの丈方向の中心が鉛直方向に揃っており、この中心に挿通孔５２ｃが穿設されており、ヘッドボックス１０から昇降可能に垂下された昇降コード１６が、各挿通孔５２ｃを挿通している。
【００２１】
この形態では、プリーツの前側及び後側の突出量が上下方向で変化するため、スクリーン表面の陰影などに変化が出て、意匠的に斬新なものとすることができると共に、昇降コード１６が各プリーツ５２ａの中心を通り側面から見たスクリーン５２形状の重心を通過しているので、前後方向にバランス良く折り畳むことができる。
【００２２】
【発明の効果】
以上説明したように、請求項１ないし請求項５記載の発明によれば、上下方向に均一でないピッチ、換言すれば、すべてのプリーツが同じピッチを有する従来のプリーツスクリーンとは異なる構成とすることにより、プリーツの前後方向（または前側、後側のいずれか一方）の突出量が上下方向で変化するため、スクリーン表面の陰影などに変化が出て、意匠的に斬新なものとすることができる。
【００２３】
また、敢えて均一でないピッチとしているために、間隔保持テープ等のプリーツの間隔を保持するための部材を省略することが可能になり、部品点数を減少させることができる。また、請求項６記載の発明によれば、昇降コードの挿通位置を突出端から一定の間隔を隔てた位置にすることにより、各プリーツが均一なものでなくとも、挿通孔の加工作業を容易に行うことができる。
【図面の簡単な説明】
【図１】本発明のプリーツスクリーンの第１の実施の形態を表す全体斜視図である。
【図２】図１の側面図である。
【図３】本発明のプリーツスクリーンの第２の実施の形態を表す図２相当図である。
【図４】本発明のプリーツスクリーンの第３の実施の形態を表す図２相当図である。
【図５】本発明のプリーツスクリーンの第４の実施の形態を表す図２相当図である。
【図６】本発明のプリーツスクリーンの第５の実施の形態を表す図２相当図である。
【図７】本発明のプリーツスクリーンの変形例を表す要部側面図である。
【符号の説明】
１０  ヘッドボックス
１２、２２、３２、４２、５２  スクリーン
１２ａ、２２ａ、３２ａ、４２ａ、５２ａ  プリーツ
１２ｂ、２２ｂ、３２ｂ、４２ｂ  突出端
１２ｃ、２２ｃ、３２ｃ、４２ｃ、５２ｃ  挿通孔
１４  ボトムレール
１６  昇降コード
【図１】
0003553285.tif 000002
【図２】
0003553285.tif 000003
【図３】
0003553285.tif 000004
【図４】
0003553285.tif 000005
【図５】
0003553285.tif 000006
【図６】
0003553285.tif 000007
【図７】
0003553285.tif 000008